(57)【特許請求の範囲】
【請求項１】
磁気ストライプ付き通帳の磁気ストライプに記録された磁気情報を磁気ヘッドで読み取り、この磁気情報に対応する再生波形を出力する磁気情報記録再生手段と、
前記再生波形のレベルを解析し、その結果に基づいて前記磁気情報が、前記磁気ストライプに対してその保磁力特性に対応した大きさの記録電流である適正記録電流で記録されているか否かを判定する判定手段と、
前記磁気情報記録再生手段がこれまでに出力した過去Ｎ回分の適正記録電流で記録された磁気情報の再生波形を過去再生波形として記憶する記憶手段と、を備え、
前記判定手段は、前記解析の対象とする今回の再生波形のレベルと、前記記憶手段に記憶されているＮ回分の過去再生波形の平均値に基づいて定めた第１の閾値と、を比較して、前記磁気情報が、磁気ストライプに対して前記適正記録電流で記録されているか否かを判定する、通帳情報記録再生装置。
【請求項２】
請求項１に記載の通帳情報記録再生装置と、
前記通帳情報記録再生装置の判定手段が、前記磁気ストライプに対して前記適正記録電流で磁気情報が記録されていると判定すると、通帳取引を開始する制御手段と、
を備えた通帳取引装置。
【発明の詳細な説明】
【技術分野】
【０００１】
本発明は、磁気ストライプ付き通帳に記録された磁気情報の誤読を防止する技術に関する。
【背景技術】
【０００２】
近年、携帯電話や携帯音楽プレーヤ等の携帯機器の普及に伴い、エンドユーザが、携帯機器と磁気ストライプ付き通帳（以下、単に通帳とも称する。）を一緒にカバンやポケット等に入れて持ち歩く機会が増えている。しかし、通帳をこのように取り扱うと、携帯用機器が内蔵するスピーカやモータ等に使用される磁石の影響で、通帳の磁気ストライプに記録されたデータが破壊または消去されることがある。このように、通帳の磁気情報が破壊されると、エンドユーザはＡＴＭ等の通帳取引装置による取引を行うことができなくなるため、通帳を発行する銀行等の金融機関には、エンドユーザから多数の苦情が寄せられている。
【０００３】
そこで、銀行等の金融機関は、このような問題の対策として、従来一般的に使用されている通帳の磁気ストライプを、保磁力が高く磁石等の影響を受けにくい、つまり、磁気情報が消えにくいものへの切り替えの検討を行ったり、切り替えを開始したりしている。
【０００４】
ここで、従来から使用されている通帳の磁気ストライプは、保磁力が一定値よりも低いものが使用されているので、低保磁力特性の磁気ストライプと称する。また、新たに導入される通帳の磁気ストライプは、保磁力が一定値よりも高いものが使用されるので、高保磁力特性の磁気ストライプと称する。
【０００５】
各金融機関が低保磁力特性の磁気ストライプ付き通帳から高保磁力特性の磁気ストライプ付き通帳へ切り替えを行う場合、各エンドユーザが使用する通帳や金融機関の窓口等に設置している通帳取引装置を一斉に変更することは、物理的にも費用的にも困難である。そのため、通帳の切り替えが完了するまでは、高磁力特性の磁気ストライプ付き通帳を使用するエンドユーザと、低保磁力特性の通帳を使用するエンドユーザと、が併存することになる。また、ＡＴＭ等の通帳取引装置は、高保磁力特性と低保磁力特性のいずれの通帳にも対応する新型のものに切り替える必要があるが、上記のように通帳取引装置を一斉に変更することができないので、従来の低保磁力特性の通帳に対応する通帳取引装置も、変更が完了するまで使用されることになる。
【０００６】
このような移行期間には、従来の通帳取引装置により高保磁力特性の磁気ストライプ付き通帳に、その磁気ストライプの保磁力特性に対応しない大きさの記録電流である低保磁力記録電流で磁気情報を誤記録するという問題の発生が考えられる。一方、新型の通帳取引装置においても、何らかの要因で、低保磁力特性の磁気ストライプ付き通帳に、その磁気ストライプの保磁力特性に対応しない大きさの記録電流である高保磁力記録電流で磁気情報を誤記録するという問題の発生が考えられる。磁気ストライプには、その特性上、適正な記録電流で書き込みを行わないと、書き込んだデータが化ける可能性が高い。そのため、上記のように通帳に磁気情報を誤記録するという問題が発生すると、口座番号の誤読等、社会的にも重大問題が増加することが懸念される。
【０００７】
そこで、従来、上記の問題に対処した方法や装置が提案されている（例えば、特許文献１〜３参照。）。
【特許文献１】特開平６−６０３０８号公報
【特許文献２】特開２００４−２９６０５８号公報
【特許文献３】特開２００５−１８２９１４号公報
【発明の開示】
【発明が解決しようとする課題】
【０００８】
特許文献１に記載の発明では、高保磁力特性の磁気ストライプ付き通帳と低保磁力特性の磁気ストライプ付き通帳とを適正に判別するために、磁気媒体の近傍にバーコード等の保磁力認識情報を記録して、この情報を読み取って保磁力を判定している。しかし、これは、通帳に保磁力認識情報を記録するとともに、通帳取引装置に保磁力認識情報の読み取り手段を通帳取引装置に設けなければならない。そのため、システムの再構築が必要となるので、現行の各装置の改良での対応は困難である。
【０００９】
また、特許文献２に記載の発明では、磁気媒体に予備書き込みを行い、書き込みした記録電流に対し、期待した再生出力が得られるか否かによって、磁気媒体の保磁力の判定を行う。そのため、取引を行う度に予備書き込み動作を行うので、処理時間すなわちエンドユーザの待ち時間が増加し、エンドユーザに迷惑をかけてしまう。
【００１０】
さらに、特許文献３記載の発明では、磁気カードの走行速度（スキャン速度）及び磁力に基づいて磁気カードの保磁力を判定するので、高保磁力特性の通帳と低保磁力特性の通帳との判別が可能である。しかしながら、両タイプの通帳に、適正な記録電流で書き込みが行われているか否かを判別することはできないので、記録された磁気情報を誤読する可能性があり、その場合には、エンドユーザに迷惑をかけるだけでなく、金融機関の信用低下につながる。
【００１１】
このように、従来の方法や装置では、通帳の磁気ストライプに記録された磁気情報が適正に記録されているか否かを短時間で判別して、磁気情報の誤読や誤記録の発生を防止することができなかった。
【００１２】
そこで、本発明は、通帳の磁気ストライプに、磁気情報がその磁気ストライプの保磁力特性に対応する大きさの記録電流で記録されているか否かを判別して、磁気情報の誤読や誤記録が発生する可能性を低減できる通帳情報記録再生装置及び通帳取引装置を提供することを目的とする。
【課題を解決するための手段】
【００１３】
この発明は、上記の課題を解決するための手段として、以下の構成を備えている。
【００１４】
この発明にかかる通帳情報記録再生装置は、磁気ストライプ付き通帳の磁気ストライプに記録された磁気情報を磁気ヘッドで読み取り、この磁気情報に対応する再生波形を出力する磁気情報記録再生手段と、
前記再生波形のレベルを解析し、その結果に基づいて前記磁気情報が、前記磁気ストライプに対してその保磁力特性に対応した大きさの記録電流である適正記録電流で記録されているか否かを判定する判定手段と、
前記磁気情報記録再生手段がこれまでに出力した過去Ｎ回分の適正記録電流で記録された磁気情報の再生波形を過去再生波形として記憶する記憶手段と、を備え、
前記判定手段は、前記解析の対象とする今回の再生波形のレベルと、前記記憶手段に記憶されているＮ回分の過去再生波形の平均値に基づいて定めた第１の閾値と、を比較して、前記磁気情報が、磁気ストライプに対して前記適正記録電流で記録されているか否かを判定する。
【００１５】
磁気ストライプ付き通帳の磁気ストライプには、保磁力が一定値よりも低い低保磁力特性のものや、保磁力が一定値よりも高い高保磁力特性のものがあり、各磁気ストライプに対してその保磁力特性に対応した大きさの記録電流である適正記録電流で磁気情報が記録されているか否かによって、磁気情報の再生波形のレベルや周期がそれぞれ異なる。この構成においては、通帳情報記録再生装置は、通帳の磁気ストライプに記録された磁気情報の再生波形のレベルを解析するので、磁気情報が、磁気ストライプに対して適正記録電流で正しく記録されているか否かを判定できる。したがって、通帳情報記録再生装置が、通帳の磁気ストライプに対して適正記録電流で磁気情報が記録されていると判定した場合には、その磁気情報に基づいて通帳取引を開始できる。また、通帳情報記録再生装置が、通帳の磁気ストライプに対して、その保磁力特性に対応しない別の記録電流で磁気情報が記録されていると判定した場合には、磁気情報の誤読により、誤って通帳取引を行うことを確実に防止できる。
【００１７】
例えば、保磁力が一定値よりも低い低保磁力特性の磁気ストライプに対して、保磁力が一定値よりも高い高保磁力特性の磁気ストライプに対応した大きさの記録電流で磁気情報を誤って記録した場合には、必要以上に高い電流値にて書き込みが行われているため、磁気情報が飽和してしまい、適正記録電流で記録された場合に比べて、磁気情報の再生波形のレベルが小さくなる。また、磁気ヘッドが摩耗したり、磁気情報記録再生手段が故障したりして読取異常が発生した場合も、同様に、磁気情報の再生波形のレベルが小さくなる。この通帳情報記録再生装置は、磁気情報記録再生手段が出力した今回の再生波形のレベルと、磁気情報記録再生手段が出力したＮ回分の適正記録電流で記録された磁気情報の再生波形のレベルを平均した値に基づいて定めた第１の閾値と、を比較する。これにより、磁気情報が適正記録電流で記録されていないことを容易に判定できる。例えば、今回の再生波形のレベルが第１の閾値よりも小さいと、磁気情報が、磁気ストライプに対してその保磁力特性に対応した大きさの記録電流で記録されていないものと判定でき、通帳の磁気ストライプに磁気情報が誤記録されていることを容易に判定でき、磁気情報の誤読を防止できる。また、この場合には、保磁力が一定値よりも低い低保磁力特性の磁気ストライプに対して、保磁力が一定値よりも高い高保磁力特性の磁気ストライプに対応した大きさの記録電流で磁気情報を誤記録した場合か、または磁気情報記録再生手段の読取異常であると判定できる。
【００２４】
また、この発明の通帳取引装置は、上述の通帳情報記録再生装置と、
前記通帳情報記録再生装置の判定手段が、前記磁気ストライプに対してその保磁力特性に対応した大きさの記録電流で磁気情報が記録されていると判定すると、通帳取引を開始する制御手段と、
を備えたことを特徴とする。
【００２５】
この構成の通帳取引装置においては、上述の通帳情報記録再生装置を備えているので、磁気ストライプに対してその保磁力特性に対応した大きさの記録電流で記録されている場合には、通帳取引を直ちに開始することが可能であり、通帳の磁気ストライプに磁気情報が誤記録されていた場合には、通帳取引を開始しないので、磁気情報を誤読することがない。したがって、磁気ストライプの保磁力特性が異なる通帳が存在する場合に、磁気ストライプの保磁力特性に対応する大きさの記録電流で磁気情報が記録されている場合のみ、通帳取引を行うことが可能となり、磁気情報の誤読の発生を防止することが可能となる。
【発明の効果】
【００２６】
本発明によれば、磁気ストライプ付き通帳の磁気ストライプに記録された磁気情報を読み取ると、磁気情報が適正記録電流で記録されているか否かを再生波形に基づいて速やかに判別するので、エンドユーザの待ち時間を増加させることなく、磁気情報の誤読や誤記録を確実に防止できる。
【発明を実施するための最良の形態】
【００２７】
以下の説明では、従来から使用されている通帳であって、保磁力が一定値よりも低い磁気ストライプである低保磁力特性の磁気ストライプ付き通帳と、新たに導入される通帳であって、保磁力が一定値よりも高い磁気ストライプである高保磁力特性の磁気ストライプ付き通帳と、の２種類の通帳について、各磁気ストライプの保磁力特性に対応する大きさの記録電流である適正記録電流で磁気情報が記録されているか否かを判定する場合を示す。
【００２８】
図１は、本発明の実施形態に係る通帳取引装置及び通帳情報記録再生装置のシステム構成図である。通帳情報記録再生装置である通帳処理部１は、通帳取引装置である現金自動取引装置（以下、ＡＴＭと称する。）１００に搭載されている。図１に示すように、ＡＴＭ１００は、通帳処理部１、カード処理部２、紙幣処理部３、硬貨処理部４、通信部５、操作・表示部６、及び主制御部（ＣＰＵ）７を備えている。また、通帳処理部１は、磁気情報記録再生部１１、処理部１２、及びメモリ１３を備えている。さらに、磁気情報記録再生部１１は、磁気ヘッド２１、再生回路２２、低保磁力記録回路２３、高磁力記録回路２４、及び不図示の通帳搬送機構を備えている。
【００２９】
通帳処理部１は、磁気ストライプ付き通帳（以下、単に通帳と称する。）９の磁気ストライプ１０に記録された磁気情報の読み取り（再生）、及び通帳９の磁気ストライプ１０への磁気情報の書き込み（記録）を行う。カード処理部２は、キャッシュカードに記録された磁気情報の読み取り等の処理を行う。紙幣処理部３は、紙幣の入出金処理を行う。硬貨処理部４は、硬貨の入出金処理を行う。通信部５は、不図示のホスト装置と取引データの送受を行う。操作・表示部６は、操作者の操作の受付、及び操作者への伝達事項の表示等を行う。主制御部（ＣＰＵ）７は、ＡＴＭ１００の各部の制御を行う。
【００３０】
また、通帳処理部１において、磁気情報記録再生部１１は、通帳９の磁気ストライプ１０に記録された磁気情報の読み取りや、磁気ストライプ１０への磁気情報の記録を行う。
【００３１】
処理部１２は、磁気情報記録再生部１１の制御や、メモリ１３に対して再生波形データを記憶させたり、再生波形データを読み出したりする。
【００３２】
メモリ１３は、処理部１２がこれまでにメモリ１３に対して出力した過去Ｎ回分の適正記録電流で記録された磁気情報の再生波形を過去再生波形として記憶する。
【００３３】
さらに、磁気情報記録再生部１１において、磁気ヘッド２１は、通帳挿入口８から挿入された通帳９の磁気ストライプ１０に記録された磁気情報の読み取り（再生）や、磁気ストライプ１０への磁気情報の書き込み（記録）を行う。
【００３４】
再生回路２２は、磁気ヘッド２１が読み取った磁気情報に応じた再生波形を出力する。
【００３５】
低保磁力記録回路２３は、処理部１２から出力された情報を変換して、磁気ヘッド２１により通帳９の磁気ストライプ１０に低保磁力記録電流で磁気情報として記録させる。ここで、低保磁力記録電流とは、低保磁力特性の磁気ストライプに対して、その保磁力特性に対応した大きさの記録電流（適正記録電流）である。低保磁力特性の磁気ストライプに対して低保磁力記録電流で磁気情報を記録すると、磁気情報を適正に記録することができる。
【００３６】
高保磁力記録回路２４は、処理部１２から出力された情報を変換して、磁気ヘッド２１により通帳９の磁気ストライプ１０に高保磁力記録電流で磁気情報として記録させる。ここで、高保磁力記録電流とは、高保磁力特性の磁気ストライプに対して、その保磁力特性に対応した大きさの記録電流（適正記録電流）である。高保磁力特性の磁気ストライプに対して高保磁力記録電流で磁気情報を記録すると、磁気情報を適正に記録することができる。
【００３７】
ＡＴＭ１００では、以上のような構成により、磁気ストライプ付き通帳９が通帳挿入口８から挿入されると、通帳処理部１において、磁気ヘッド２１で磁気ストライプ１０に記録された磁気情報を読み出して、その再生波形の解析を処理部１２にて行う。
【００３８】
次に、通帳処理部１において、通帳９の磁気ストライプ１０に記録された磁気情報を読み取った際の再生波形出力電流波形の代表例を示す。図２は、磁気ストライプに記録した磁気情報の再生波形を示す図である。なお、図２には、通帳の磁気ストライプに並行して記録された２つの磁気情報の再生波形を示している。図２（Ａ）は、低保磁力特性の磁気ストライプに、対応する低記録電流で記録した磁気情報の再生波形を示す図であり、図２（Ｂ）は、図２（Ａ）の時間レンジを拡大した再生波形を示す図である。図２（Ａ），（Ｂ）に示すように、低保磁力特性の磁気ストライプに対して、適正記録電流である低保磁力記録電流で磁気情報の書き込みが行われていることから、再生回路２２の出力電流のピークレベルが高く、波形の周期が一定であり、波形に乱れがない。
【００３９】
また、図示していないが、高保磁力特性の磁気ストライプに、対応する高保磁力記録電流で磁気情報を記録した場合には、その再生波形は図２（Ａ），（Ｂ）に示した波形とほぼ同様の波形となる。つまり、高保磁力特性の磁気ストライプに対して、適正記録電流である高保磁力記録電流で磁気情報の書き込みが行われていることから、再生回路２２の出力電流のピークレベルが高く、波形の周期が一定であり、波形に乱れがない。
【００４０】
図２（Ｃ）は、低保磁力特性の磁気ストライプに高保磁力記録電流で記録した磁気情報の再生波形を示す図であり、図２（Ｄ）は、図２（Ｃ）の時間レンジを拡大した再生波形を示す図である。図２（Ｃ），（Ｄ）に示すように、低保磁力特性の磁気ストライプに対して、対応しない大きさの記録電流である高保磁力記録電流で磁気情報の書き込みが誤って行われていると、必要以上に高い電流値による磁気情報の書き込みとなり飽和状態となるため、再生回路２２の出力電流のピークレベルが、図２（Ａ），（Ｂ）に示した場合に比べて低くなっている。また、再生波形は飽和しているが、以前に記録されていた磁気情報は完全に消えているので、再生波形の周期に乱れはない。
【００４１】
図２（Ｅ）は、高保磁力特性の磁気ストライプに低保磁力用電流で記録した磁気情報の再生波形を示す図であり、図２（Ｆ）は、図２（Ｅ）の時間レンジを拡大した再生波形を示す図である。図２（Ｅ），（Ｆ）に示すように、高保磁力特性の磁気ストライプに対して、誤った記録電流である低保磁力記録電流で磁気情報の書き込みが行われていると、十分な電流にて磁気情報の書き込みが行われていないので、磁気ストライプに記録されていた以前の磁気情報が消えずに残り、以前の磁気情報に新たな磁気情報を重ね書きしたような状態となる。そのため、再生波形は適正に記録された磁気情報と同様なピークレベル波形だけでなく、磁気情報の再生レベルよりも小さなレベルの波形を含むので、磁気情報の再生波形の周期に乱れが生じる。
【００４２】
このように、磁気情報の再生波形のレベルや周期を解析することで、磁気情報が、磁気ストライプに対してその保磁力特性に対応した大きさの記録電流で記録されているか否かを判定できる。すなわち、低保磁力特性の磁気ストライプに適正な記録電流（低保磁力記録電流）で磁気情報を記録したか、誤った記録電流（高保磁力記録電流）で磁気情報を記録したかを判定でき、また、高保磁力特性の磁気ストライプに適正な記録電流（高保磁力記録電流）で磁気情報を記録したか、誤った記録電流（低保磁力記録電流）で磁気情報を記録したかを判定できる。そこで、本発明では、磁気ストライプ付き通帳の磁気ストライプに記録された磁気情報を読み取り、その磁気情報に対応する再生波形のレベルや周期を解析して、磁気情報の記録状態を判定し、磁気情報の誤読や誤記録を防止する。
【００４３】
次に、ＡＴＭ１００及び通帳処理部１の具体的な動作について説明する。図３は、磁気ストライプに記録された磁気情報の再生波形の例を示す図である。なお、図３の（Ａ），（Ｂ），（Ｈ），（Ｉ）に示す波形は、再生波形のピークレベルが容易に把握できるように、再生波形の全体を示す時間レンジとしている。また、図３（Ｃ）〜（Ｇ）に示す波形は、再生波形の周期や詳細な波形の形状が把握できるように、再生波形の一部分を示す時間レンジとしている。図４は、ＡＴＭ及び通帳処理部の磁気情報の判定動作を説明するためのフローチャートである。
【００４４】
図４に示すように、ＡＴＭ１００の主制御部７は、エンドユーザが取引を選択できるように、操作・表示部６に選択画面を表示させる。主制御部７は、エンドユーザが操作・表示部６を操作して通帳取引を選択したことを検出すると（ｓ１）、通帳挿入のガイダンスを表示する。主制御部７は、エンドユーザがガイダンスに従って、通帳の該当する科目頁を開いて通帳挿入口８から通帳９が挿入されると、不図示の通帳搬送機構により磁気情報記録再生部１１に通帳を搬送する。通帳処理部１の処理部１２は、通帳搬送機構により搬送された通帳９の磁気ストライプ１０に記録された磁気情報を、磁気ヘッド２１で読み取る（ｓ２）。
【００４５】
ここで、処理部１２は、後述するステップｓ１０において、通帳９の磁気ストライプ１０に記録された磁気情報を読み取り、再生波形のレベル及び周期を判定して、磁気ストライプ１０に適正記録電流で磁気情報が記録されていると判定した場合には、その再生波形データを出力してメモリ１３に記憶させており、メモリ１３はこれまでに処理部１２から出力されたＮ回分の適正記録電流で記録された磁気情報の再生波形データを記憶している。処理部１２は、ステップｓ２の処理を行うと、続いてメモリ１３からＮ回分の適正記録電流で記録された磁気情報の再生波形データを読み出し、演算を行って基準レベルである出力レベル判定値ｙを算出する（ｓ３）。具体的には、処理部１２は、Ｎ回分の適正記録電流で記録された磁気情報における再生波形のピークレベルを平均して、その平均値ｍを算出する。続いて、処理部１２は、算出した平均値ｍに対し、外的要因等による磁気ストライプの読み取り機能の性能低下や、摩耗等による磁気ヘッド機構部の性能低下による読取出力レベル低下を考慮したマージンｘを、前記の平均値ｍに乗算して、その積を出力レベル判定値ｙとして算出する。なお、マージンｘの値としては、例えば５０％〜６０％が好適である。
【００４６】
基準レベルを、Ｎ回分の適正記録電流で記録された磁気情報の再生波形のレベルを平均してマージンｘを乗算したものに設定することで、適正記録電流で記録された磁気情報の再生波形のレベルが、磁気ヘッドの摩耗等の経年劣化により徐々に低下している場合でも、適正記録電流で記録されていない磁気情報の再生波形は基準レベルとは異なるレベルとなるので、磁気情報が適正記録電流で記録されていないことを容易に判定できる。例えば、今回の再生波形のレベルがこの基準レベルよりも小さいと、磁気情報が、磁気ストライプに対してその保磁力特性に対応した大きさの記録電流で記録されていないものと判定でき、通帳の磁気ストライプに磁気情報が誤記録されていることを容易に判定でき、磁気情報の誤読を防止できる。また、この場合には、保磁力が一定値よりも低い低保磁力特性の磁気ストライプに対して、保磁力が一定値よりも高い高保磁力特性の磁気ストライプに対応した大きさの記録電流で磁気情報を誤記録した場合か、または磁気情報記録再生手段の読取異常であると判定できる。
【００４７】
処理部１２は、算出した出力レベル判定値ｙと、今回読み取った磁気情報の再生波形の出力レベル（ピークレベル）と、の比較判定を行う（ｓ４）。処理部１２は、ステップｓ４における比較判定１の結果、図３（Ａ）に示すように、今回読み取った磁気情報の再生波形の出力レベル（ピークレベル）が出力レベル判定値ｙよりも大きい場合には、ステップｓ５以降の処理を行う。一方、処理部１２は、ステップｓ４における比較判定の結果、図３（Ｂ）に示すように、今回読み取った磁気情報の再生波形の出力レベル（ピークレベル）が出力レベル判定値ｙ以下の場合には、今回の再生波形の出力レベルが異常であるとして、ステップｓ１３以降の処理を行う。
【００４８】
処理部１２は、ステップｓ４の比較判定にて出力レベルが出力レベル判定値ｙよりも大きい場合、今回の再生波形の出力レベル（ピークレベル）が、磁気ストライプに対してその保磁力特性に対応した大きさの記録電流で記録された磁気情報を読み出すレベル（再生レベル）である閾値Ａ以上であるか否かを確認する（ｓ５）。処理部１２は、図３（Ｄ）に示すように、今回の再生波形の出力レベル（ピークレベル）が、予め設定している閾値Ａ未満の場合には、今回の再生波形の出力レベルが異常であるとして、ステップｓ１３以降の処理を行う。一方、処理部１２は、図３（Ｃ）に示すように、今回の再生波形の出力レベル（ピークレベル）が、予め設定している閾値Ａ以上の場合には、閾値Ａにて今回の再生波形の振幅を読み取り、読み取った波形に基づいて今回の再生波形の周期を算出する（ｓ６）。
【００４９】
さらに、処理部１２は、今回の再生波形の周期と、磁気ストライプに対してその保磁力特性に対応した大きさの記録電流で記録されている磁気情報の再生波形周期である基準周期との比較判定を行う（ｓ７）。ここで、基準周期としては、例えば図３（Ｃ）に示す波形の周期が設定されているものとする。また、ステップｓ７の処理は、図３（Ｃ）〜（Ｆ）に示した再生波形のような今回の再生波形において、ピークレベルが最大乃至は最大値に対して一定範囲内の波形の集合体である最大ピーク列の波形周期と、基準周期と、を比較する処理に相当する。
【００５０】
処理部１２は、判定の結果、図３（Ｇ）に示すように、閾値Ａにて波形の振幅を読み取った今回の再生波形の周期が基準周期とは異なる周期であれば、磁気情報が壊れているか、または磁気情報の書き込み時に書き込み方式を誤っている可能性があると判定し、ステップｓ１３以降の処理を行う。
【００５１】
一方、処理部１２は、判定の結果、図３（Ｃ）〜（Ｆ）に示す再生波形のように、閾値Ａにて波形の振幅を読み取った今回の再生波形の周期が、基準周期と同様の周期であれば、ステップｓ８の処理に移る。
【００５２】
処理部１２は、比較判定にて読取波形が正常であった場合、解析の対象とする今回の再生波形を、磁気ストライプに記録されている磁気情報の重ね書きを判定するレベル（重ね書き判定レベル）であり、閾値Ｂよりも小さな閾値Ａ’にて波形の振幅を読み取り、読み取った波形から、閾値Ａ’にて波形の振幅を読み取った今回の再生波形の周期を算出する（ｓ８）。そして、処理部１２は、閾値Ａ’にて波形の振幅を読み取った今回の再生波形の周期と、予め設定している基準周期と、の比較判定を行う（ｓ９）。処理部１２は、判定の結果、図３（Ｃ），（Ｅ）に示す再生波形のように、閾値Ａ’において周期が一定の波形であれば、磁気情報及び書き込み方式は正しく、ノイズを含んでいたとしても磁気情報の誤読を誘発するレベルではなく、磁気情報が、低保磁力特性の磁気ストライプに対して対応する低保磁力記録電流で、または高保磁力特性の磁気ストライプに対して対応する高保磁力記録電流で、つまり適正記録電流で記録されていると判定し（ｓ１０）、再生波形を出力してメモリ１３に記憶させ（ｓ１１）、続いて、通常の取引処理に移行する。
【００５３】
通常の取引処理に移行すると、処理部１２は、通帳９の磁気ストライプ１０に対してその保磁力特性に対応した大きさの記録電流で磁気情報が記録されていると判定した旨の信号を主制御部７に出力する。主制御部７は、磁気ストライプに対してその保磁力特性に対応した大きさの記録電流で記録された磁気情報を読み出すレベル（再生レベル）である閾値Ａで、磁気情報を読み出して、エンドユーザが操作・表示部６を操作・選択した取引内容に応じた通帳取引を行う。
【００５４】
一方、処理部１２は、ステップｓ９における判定の結果、図３（Ｆ）に示す再生波形のように、閾値Ａ’にて波形の振幅を読み取った今回の再生波形の周期が基準周期とは異なる周期であれば、磁気情報が壊れているか、または高保磁力特性の磁気ストライプに対して、その保磁力特性に対応していない大きさの低保磁力記録電流で磁気情報が記録されている磁気情報異常（モードエラー）の障害（ａ）の状態であると判定し（ｓ１２）、磁気情報の復元処理を行う。
【００５５】
ステップｓ４，ｓ５，ｓ７において、ステップｓ１３以降の処理を行うように判定した場合には、処理部１２は、まず、ステップｓ３にて算出した出力レベル判定値ｙのほぼ半分のレベルを閾値Ｂに設定し、今回の再生波形の出力レベルが、閾値Ｂ以上であるか否かを確認する（ｓ１３）。処理部１２は、図３（Ｉ）に示すように、今回の再生波形の出力レベルが、予め設定している閾値Ｂ未満の場合には、磁気情報が壊れているか、または磁気情報の書き込み時に書き込み方式を誤っているか、もしくは磁気情報記録再生部１１の故障である磁気情報異常（モードエラー）またはハード異常の障害（ｃ）の状態であると判定して（ｓ１７）、エラー処理を行う。
【００５６】
エラー処理に移行すると、処理部１２は、磁気ストライプ１０に記録されたデータの破損、または磁気情報記録再生部１１の故障であると判定した旨の信号を主制御部７に出力するとともに、不図示の通帳搬送機構で通帳挿入口８から通帳９を搬出する。また、主制御部７は、通帳９またはＡＴＭ１００に問題が発生したので行員を呼ぶように指示する内容と、エラコードを操作・表示部６に表示させる。
【００５７】
一方、処理部１２は、ステップｓ１３において、図３（Ｈ）に示すように、今回の再生波形の出力レベル（ピークレベル）が、予め設定している閾値Ｂ以上の場合には、閾値Ｂにて今回の再生波形の振幅を読み取り、読み取った波形に基づいて今回の再生波形の周期を算出する（ｓ１４）。
【００５８】
続いて、処理部１２は、閾値Ｂにて波形の振幅を読み取った今回の再生波形の周期と、予め設定している正常な波形周期（基準周期）との比較判定を行う（ｓ１５）。ここで、ステップｓ１５の処理は、図３（Ｄ）に示した再生波形のような今回の再生波形において、ピークレベルが最大乃至は最大値に対して一定範囲内の波形の集合体である最大ピーク列の波形周期と、基準周期と、を比較する処理に相当する。
【００５９】
処理部１２は、判定の結果、閾値Ｂにて波形の振幅を読み取った今回の再生波形の周期が基準周期と同様の一定周期であれば、低保磁力特性の磁気ストライプに対して、その保磁力特性に対応していない大きさの高保磁力記録電流で磁気情報が記録されている磁気情報異常（モードエラー）の障害（ｂ）の状態であると判定し（ｓ１６）、磁気情報復元処理を行う。
【００６０】
一方、処理部１２は、判定の結果、閾値Ｂにて波形の振幅を読み取った今回の再生波形の周期が基準周期とは異なる周期であれば、磁気情報が壊れているか、または磁気情報の書き込み時に書き込み方式を誤っているか、もしくは磁気情報記録再生部１１の故障である磁気情報異常（モードエラー）またはハード異常の障害（ｃ）の状態であると判定して（ｓ１７）、エラー処理を行う。
【００６１】
次に、磁気情報復元処理について説明する。図５は、ＡＴＭ及び通帳処理部の磁気情報の復元動作を説明するためのフローチャートである。通帳処理部１の処理部１２は、まず、今回の再生波形の出力レベルが、磁気ストライプに対して適正記録電流で記録された磁気情報の再生波形のピークレベルとほぼ同じレベルである閾値Ｃ（＞閾値Ａ）以上であるか否かを確認する（ｓ２１）。処理部１２は、図３（Ｄ）に示すように、今回の再生波形の出力レベルが、予め設定している閾値Ｃ未満の場合には、ステップｓ２４以降の処理を行う。一方、処理部１２は、図３（Ｇ）に示すように、今回の再生波形の出力レベルが閾値Ｃ以上の場合には、閾値Ｃにて今回の再生波形の振幅を読み取り、読み取った波形に基づいて今回の再生波形の周期を算出する（ｓ２２）。さらに、処理部１２は、閾値Ｃにて波形の振幅を読み取った今回の再生波形の周期と基準周期との比較判定を行う（ｓ２３）。ここで、ステップｓ２３の処理は、図３（Ｇ）に示した再生波形のような今回の再生波形において、ピークレベルが最大乃至は最大値に対して一定範囲内の波形の集合体である最大ピーク列の波形周期と、基準周期と、を比較する処理に相当する。
【００６２】
処理部１２は、判定の結果、閾値Ｃにて波形の振幅を読み取った今回の再生波形の周期が、基準周期とほぼ同様の一定周期であれば、ステップｓ３０の処理に移る。
【００６３】
一方、処理部１２は、判定の結果、閾値Ｃにて波形の振幅を読み取った今回の再生波形の周期が基準周期とは異なる周期であれば、磁気情報の復元は不可能であると判定して（ｓ２９）、処理を終了する。
【００６４】
また、処理部１２は、ステップｓ２１において、今回の再生波形の出力レベルが予め設定している閾値Ｃ未満の場合には、今回の再生波形の出力レベルが、閾値Ａ以上であるか否かを確認する（ｓ２４）。処理部１２は、今回の再生波形の出力レベルが、閾値Ａ未満の場合には、ステップｓ２７以降の処理を行う。一方、処理部１２は、図３（Ｆ）に示すように、今回の再生波形の出力レベルが閾値Ａ以上の場合には、閾値Ａにて今回の再生波形の振幅を読み取り、読み取った波形に基づいて今回の再生波形の周期を算出する（ｓ２５）。さらに、処理部１２は、閾値Ａにて波形の振幅を読み取った今回の再生波形の周期と、基準周期との比較判定を行う（ｓ２６）。ここで、ステップｓ２６の処理は、図３（Ｆ）に示した再生波形のような今回の再生波形において、ピークレベルが最大乃至は最大値に対して一定範囲内の波形の集合体である最大ピーク列の波形周期と、基準周期と、を比較する処理に相当する。
【００６５】
処理部１２は、判定の結果、閾値Ａにて波形の振幅を読み取った今回の再生波形の周期が、基準周期とほぼ同様の一定周期であれば、ステップｓ３０の処理に移る。
【００６６】
一方、処理部１２は、判定の結果、閾値Ａにて波形の振幅を読み取った今回の再生波形の周期が基準周期とは異なる周期であれば、磁気情報の復元は不可能であると判定して（ｓ２９）、処理を終了する。
【００６７】
また、処理部１２は、ステップｓ２４において、今回の再生波形の出力レベルが予め設定している閾値Ａ未満の場合には、今回の再生波形の出力レベルが、閾値Ｂ以上なので、閾値Ｂにて今回の再生波形の振幅を読み取り、読み取った波形に基づいて今回の再生波形の周期を算出する（ｓ２７）。さらに、処理部１２は、閾値Ｂにて波形の振幅を読み取った今回の再生波形の周期と、基準周期との比較判定を行う（ｓ２８）。ここで、ステップｓ２８の処理は、図３（Ｄ）に示した再生波形のような今回の再生波形において、ピークレベルが最大乃至は最大値に対して一定範囲内の波形の集合体である最大ピーク列の波形周期と、基準周期と、を比較する処理に相当する。
【００６８】
処理部１２は、判定の結果、閾値Ｂにて波形の振幅を読み取った今回の再生波形の周期が、基準周期とほぼ同様の一定周期であれば、ステップｓ３０の処理に移る。
【００６９】
一方、処理部１２は、判定の結果、閾値Ｂにて波形の振幅を読み取った今回の再生波形の周期が基準周期とは異なる周期であれば、磁気情報の復元は不可能であると判定して（ｓ２９）、処理を終了する。
【００７０】
処理部１２は、閾値Ｃ，閾値Ａ，閾値Ｂのいずれかにて波形の振幅を読み取った磁気情報の再生波形の周期が、基準周期とほぼ同じ周期であると、各閾値のいずれかにて読み取った波形に基づいて、磁気情報を読み取る（ｓ３０）。続いて、処理部１２は、不図示の通帳搬送機構に通帳挿入口８から通帳９を搬出させる（ｓ３１）。さらに、処理部１２は、復元した磁気情報を主制御部７に出力し、主制御部７は、この磁気情報を、操作・表示部６に表示させて、復元した磁気情報が通帳の情報と一致するか否かを確認し、その結果を入力するよう促す指示を表示させる（ｓ３２）。
【００７１】
主制御部７は、操作・表示部６において、磁気情報が正しい旨の入力があったことを検出すると（ｓ３３）、通帳を挿入するように、操作・表示部６に表示させる（ｓ３６）。一方、主制御部７は、ステップｓ３２にて磁気情報が誤っている旨の入力があったことを検出すると、通帳情報を入力するよう促す内容を操作・表示部６に表示させる（ｓ３４）。
【００７２】
主制御部７は、操作・表示部６において、通帳情報の入力を検出すると（ｓ３５）、その通帳情報を一時的に記憶するとともに、通帳９の挿入を指示する内容を操作・表示部６に表示させる（ｓ３６）。
【００７３】
主制御部７は、通帳９が挿入されたことを検出すると（ｓ３７）、正しい復元情報または、操作・表示部６から入力された通帳情報を、通帳処理部１に磁気情報として通帳９の磁気ストライプ１０に記録させる（ｓ３８）。
【００７４】
このとき、主制御部７は、図４に示したフローチャートにおいて、磁気情報の再生波形が障害（ａ）の状態であると判定した再生波形について磁気情報を復元した場合には、高保磁力特性の磁気ストライプに対して、その保磁力特性に対応した大きさの高保磁力記録電流で磁気情報を記録する。また、磁気情報の再生波形が障害（ｂ）の状態であると判定した再生波形について磁気情報を復元した場合には、低保磁力特性の磁気ストライプに対して、その保磁力特性に対応した大きさの低保磁力記録電流で磁気情報を記録する。さらに、通帳の磁気ストライプには、高保磁力特性の磁気ストライプであるか、または低保磁力特性の磁気ストライプであるかを判別するための情報を記録する領域が設けられているので、主制御部７は、復元した情報において、この領域の情報も確認して、磁気ストライプに対して、その保磁力特性に対応する大きさの記録電流で磁気情報を記録する。
【００７５】
主制御部７は、磁気情報復元処理を終了すると、続いて通常の取引処理を行う。
【００７６】
以上のように、本実施例にて示すように、本発明では媒体の作り直しやシステム的な再構築を必要としないうえ、２度の書き込み等の処理時間の増加となる要因をなくし、通帳挿入時に読み取った１つの磁気情報をいくつもの判定基準にて処理することで、磁気情報の誤読や書き込み間違え等の可能性を低下でき、顧客への影響が大きい重大な問題が発生する可能性を低減できる。
【図面の簡単な説明】
【００７７】
【図１】本発明の実施形態に係る通帳取引装置及び通帳情報記録再生装置のシステム構成図である。
【図２】磁気ストライプに記録した磁気情報の再生波形を示す図である。
【図３】本磁気ストライプに記録された磁気情報の再生波形の例を示す図である。
【図４】ＡＴＭ及び通帳処理部の磁気情報の判定動作を説明するためのフローチャートである。
【図５】ＡＴＭ及び通帳処理部の磁気情報の復元動作を説明するためのフローチャートである。
【符号の説明】
【００７８】
１−通帳処理部    ２−カード処理部    ３−紙幣処理部    ４−硬貨処理部
５−通信部    ６−操作・表示部    ７−主制御部    ８−通帳挿入口    ９−通帳
１０−磁気ストライプ    １１−磁気情報記録再生部    １２−処理部
１３−メモリ    ２１−磁気ヘッド    ２２−再生回路
２３−低保磁力記録回路    ２４−高磁力記録回路    １００−ＡＴＭ
【図１】
0004527667.tif 000002
【図２】
0004527667.tif 000003
【図３】
0004527667.tif 000004
【図４】
0004527667.tif 000005
【図５】
0004527667.tif 000006